(57)【要約】      （修正有）【課題】防雨カバー内における圧損の発生を減少させて燃焼機器や換気扇のファンに対する負荷を可及的に小さくすることができる排気トップを提供する。【解決手段】排気トップにおいて、防雨カバー５を９０°下向きに円曲して形成すると共に、この９０°下向きに形成した防雨カバー５の排気流出口６の位置を、トップ本体１側の排気口４の位置よりも下位に位置させる。その上で、前記防雨カバー５内において、前記排気口４の前方に、排気の流れを下向きに誘導するための整流板８を取り付ける。このように、整流板８を取り付けると、排気口４から流出した排気は、整流板８で下向きに誘導されるため、防雨カバー５内における圧損が軽減される。【選択図】図２
2006125737.tif 000002
【特許請求の範囲】
【請求項１】
防雨カバーを９０°下向きに円曲して形成すると共に、この９０°下向きに形成した防雨カバーの排気流出口の位置を、防雨カバー内の排気口の位置よりも下位に位置させて成る排気トップにおいて、前記防雨カバー内に排気口から流出した排気の流れに対向し、且つその流れを下向きに誘導するための整流板を取り付けて成る排気トップ。
【請求項２】
請求項１において、整流板を複数枚間隔をあけて取り付けたことを特徴とする排気トップ。
【請求項３】
請求項１において、整流板は、円弧状又は斜めに取り付けられた平板状から成ることを特徴とする排気トップ。
【請求項４】
請求項１において、整流板の両サイドには袖板が形成されていることを特徴とする排気トップ。
【請求項５】
請求項１において、排気口には、整流板に替えて、排気誘導エルボが下向きに取り付けられていることを特徴とする排気トップ。
【発明の詳細な説明】
【技術分野】
【０００１】
本願発明は、建物の外壁等に取り付けられる給湯器・ストーブ等の燃焼機器あるいは換気扇等の排気トップに関するものである。
【背景技術】
【０００２】
建物の外壁に排気トップを取り付け、この排気トップから燃焼排気や換気を大気中に放出する方式の場合、排気トップ内に雨水が侵入したり、風圧が侵入するのを阻止する目的で、排気口の前方に、下向きに防雨カバーを取り付けた所謂ベンドトップと称される排気トップが知られている。
【０００３】
図１６は、このベンドトップとして現在最も多く利用されている防雨カバーの一例である。このベンドトップは、後方に排気管の接続部１０１を形成したトップ本体１００の排気口１０２に下向きのフラップ１０３を取り付けると共に、この排気口１０２の前方に、半円形状であって、下半分に排気流出口１０５を形成した防雨カバー１０４を取り付けた構成から成り、排気口１０２から排出された排気は、フラップ１０３を経由して防雨カバー１０４の排気流出口１０５から大気中に放出されるものである。
そして、防雨カバー１０４は、排気口１０２から内部に雨水が侵入するのを阻止する防雨としての機能と、風圧が排気口１０２内に侵入するのを阻止する二つの機能を有している。
【０００４】
このタイプは、外壁Ａからの突出量も少なく、比較的小型であることと、防雨カバー１０４は、半円形状の膨らみを呈していることから、ソフトな印象を有し、意匠的に最も好まれている。
しかし、このタイプの場合、排気口１０２と防雨カバー１０４の排気流出口１０５とが接近しており、正面からみても排気口１０２の下半分が排気流出口１０５から露出しているため、正面及び下方からの風圧の影響を受け易く、また、上方からの雨水は防雨カバー１０４で阻止するが、風圧によって正面側や下方から煽られてくる雨水は、排気口１０２内に侵入してしまうことがある。勿論、このようにして侵入した雨水が燃焼機器や部屋内まで入らないように、排気口１０２に結ばれたトップ本体１００は、外側への下り勾配がつけられているが、それでも、風の強い時には雨水が侵入してくることがある。
【０００５】
また、図１７に示すベンドトップが提案され、現在実用化されている。
この図１７のベンドトップは、後方に排気管の接続部２０１を形成したトップ本体２００の排気口２０２の外側に、下向きに９０°円曲した大型の防雨カバー２０３を取り付けると共に、この防雨カバー２０３の下端の排気流出口２０４にフラップ２０５を取り付けた構成から成り、排気口２０２から排出された排気は、防雨カバー２０３内で９０°下向きにその流れを変え、フラップ２０５を経由して下端の排気流出口２０４から大気中に放出されるものである。
【０００６】
この図１７に示したタイプの場合、防風、防雨の効果は高く、その面では有効であるが、排気口２０２から排出された排気の流れａは、防雨カバー２０３内において直進し、その後防雨カバー２０３の内面２０３ａに正面からの流れａ−１として衝突し、その後下向きの排気の流れａ−２となり、フラップ２０５を取り付けた排気流出口２０４から外に流出するため、防雨カバー２０３内において排気に乱流や渦流が発生し、圧損が大きくなるため、燃焼機器や換気扇のファンの負荷が増大するという問題がある。
その他、ドレン水や雨水の侵入防止を図ることを目的とした排気トップとしては、次のものが公知である。
[特許文献１]  特開２００３−１３０３４０号
[特許文献２]  特開平１０−２８１５５９号
[特許文献３]  特開平０８−１２１８７６号
【発明の開示】
【発明が解決しようとする課題】
【０００７】
本願発明の課題は、防雨カバー内における圧損の発生を減少させて燃焼機器や換気扇のファンに対する負荷を可及的に小さくすることができる排気トップを提供することである。
【課題を解決するための手段】
【０００８】
上記課題は、次に記載する発明により解決することができる。すなわち、請求項１に記載した発明は、防雨カバーを９０°下向きに円曲して形成すると共に、この９０°下向きに形成した防雨カバーの排気流出口の位置を、防雨カバー内の排気口の位置よりも下位に位置させて成る排気トップにおいて、前記防雨カバー内に排気口から流出した排気の流れに対向し、且つその流れを下向きに誘導するための整流板を取り付けて成ることを特徴とするものである。
このように、防雨カバー内に整流板を組み込むと、排気口から排出された排気は、この整流板により下向きにその流れが誘導される。この結果、排気の流れは、衝突による乱流、渦流の発生がなくなり、排気は、極めてスムーズに防雨カバー内を下降流となって進み、排気流出口から排出される。
この結果、圧損が少なく、送風ファンの負荷を低減することができる。
【０００９】
更に、請求項２に記載の発明においては、請求項１において、整流板を複数枚間隔をあけて取り付けたことを特徴とするものである。
【００１０】
更に、請求項３に記載の発明においては、請求項１において、整流板は、円弧状又は斜めに取り付けられた平板状から成ることを特徴とするものである。
【００１１】
更に、請求項４に記載の発明においては、請求項１において、整流板の両サイドには袖板が形成されていることを特徴とするものである。
【００１２】
更に、請求項５に記載の発明においては、請求項１において、排気口には、整流板に替えて、排気誘導エルボが下向きに取り付けられていることを特徴とするものである。
【発明の効果】
【００１３】
本願発明は以上のように、排気トップ内に整流板あるいは整流エルボを取り付けたことにより、この排気トップ内において排気の流れは整流板あるいはエルボによりスムーズに下向きに整流されるため、乱流や渦流が発生しない。この結果、圧損が小さく、ファンに対する負荷を軽減できる。
図１５は、整流板を取り付けた場合と取り付けない場合の圧損を比較したグラフであり、整流板を取り付けることにより、圧損を略１／２に軽減することができる。
【発明を実施するための最良の形態】
【００１４】
本願発明に係る排気トップは、屋内設置のストーブ、給湯器、ボイラー等の燃焼機器の排気を、外壁から大気中に排出する燃焼排気の排出、あるいは、室内の空気を大気中に排出する換気用の排気トップとして用いられる。但し、本願発明の排気トップは、自然排気用ではなく、送風ファンにより強制的に排出される排気用として用いられる。
以下、実施例図を用いて本願発明の具体的な構成を詳細に説明する。
【実施例１】
【００１５】
本実施例１は、請求項１及び同２に対応する、基本的な構成の実施例である。図１は、排気トップ（べンドトップ）を正面斜め上方から見た斜視図、図２は、外壁に取り付けられた図１の排気トップを示す断面図である。
この図１及び同２において、１は排気トップ本体であって、この排気トップ本体１は、その後方に排気管３の接続部２を形成すると共に、先端に排気口４を形成し、そしてこの排気口４の前方には、９０°下向きに形成されていると共に、下端の排気流出口６は、排気口４よりも下に位置していて、排気流出口６には、前方に下端側が傾斜したフラップ７を取り付けた構成の防雨カバー５が取り付けられている。Ａは外壁、Ｂはパッキン、Ｃは化粧プレートである。
【００１６】
８は、上記防雨カバー５の前記排気口４の前方において、対向する位置に取り付けられた整流板であって、この整流板８は、防雨カバー５の内面５ａの円曲よりも緩やかな円弧状に形成されていて、排気口４から排出された排気は、この緩やかな円弧面８ａに沿って水平方向から下向きに変えられて、排気流出口６のフラップ７を経由して大気中に放出される。
【実施例２】
【００１７】
本実施例２は、図３（Ａ）、（Ｂ）に示すように、円弧状の整流板８を排気口４の上部４ａに取り付け、下端８ａ´側をフリーとした実施例である。
このように、整流板８の下端８ａ´側をフリーとしておくことにより、すべての風圧が排気口４側にかからず、万一入っても整流板８の裏側のスペース８ｂ内にその一部が入ることから、その分風圧が軽減される。
【実施例３】
【００１８】
本実施例３は、図４（Ａ）、（Ｂ）に示すように、円弧状の整流板８の下端８ａ´を防雨カバー５の排気流出口６のところまで延長し、ここに固定した構成である。
このように、整流板８の下端８ａ´を排気流出口６のところまで延長すると、排気口４から排出された排気を、効率的に防雨カバー５の排気流出口６までスムーズに誘導することができる。
【実施例４】
【００１９】
本実施例４は、図５（Ａ）、（Ｂ）に示すように、上記実施例２に比較して、整流板８を複数枚となし、これを一定の間隔をあけて取り付けた例であって、このように複数枚の整流板８を取り付けることにより、排気の流れが整流されて、渦流の発生も少なくなり、排気の流れ抵抗を減少させることができる。
本実施例４において、整流板８の下端８ａ´は、排気口４に対向するところで切れている。
【実施例５】
【００２０】
本実施例５は、図６（Ａ）、（Ｂ）に示すように、上記実施例３に比較して、整流板８を複数枚となし、これを一定の間隔をあけて取り付けた例であって、この時の整流板８は、すべてその下端８ａ´は排気流出口６のところまで延長して臨ませてある。
【実施例６】
【００２１】
本実施例６は、図７（Ａ）、（Ｂ）に示すように、整流板８の両サイドに袖板８ｃを形成することにより、排気をこの整流板８の両サイドから外に逃がさないように拘束しながら下方の排気流出口６側に誘導して、誘導効率を高めた実施例であって、整流板８の下端８ａ´は排気口４に対向するところで切れている。
【実施例７】
【００２２】
本実施例７は、図８（Ａ）、（Ｂ）に示すように、整流板８の両サイドに袖板８ｃを形成したもので、作用効果は実施例６と同一であるが、下端８ａ´は排気流出口６のところまで延長されている。
【実施例８】
【００２３】
本実施例８は、図９（Ａ）、（Ｂ）に示すように、整流板８を平板状に形成し、これを排気口４に斜めに対向させて９０°円曲している防雨カバー８の内側に取り付けた例である。
【実施例９】
【００２４】
本実施例９は、図１０（Ａ）、（Ｂ）に示すように、帯状の整流板８を排気口４の前方に対向するように横方向に取り付けた例である。
【実施例１０】
【００２５】
本実施例１０は、図１１（Ａ）、（Ｂ）に示すように、半球状の整流板８を排気口４の前方であって、上部に対向するようにして取り付けた例である。
【実施例１１】
【００２６】
本実施例１１は、図１２（Ａ）、（Ｂ）に示すように、半球状の整流板８を一定の間隔をあけて複数枚となるように形成した例である。但し、この枚数は、特に限定しない。
【実施例１２】
【００２７】
本実施例１２は、図１３（Ａ）、（Ｂ）に示すように、排気トップ本体１の先端１ａを防雨カバー５内まで円曲して延長し、整流板８と一体化したものである。但し、この場合の整流板８は筒状（エルボ）であり、その下端８ａ´は排気流出口６上に臨んでいる。
【実施例１３】
【００２８】
本実施例１３は、図１４（Ａ）、（Ｂ）に示すように、排気トップ本体１の先端１ａを防雨カバー５内において排気流出口６のところまで円曲して延長させることにより、整流板８と一体化したものである。
【産業上の利用可能性】
【００２９】
本願発明の排気トップは、ストーブ、給湯機器等の燃焼排気排出口、あるいは換気扇の換気ダクトの排出口に取り付けて用いられる。
【図面の簡単な説明】
【００３０】
【図１】実施例１に係る排気トップの斜視図
【図２】実施例１に係る排気トップの断面図
【図３】実施例２の説明図であって、（Ａ）は断面図、（Ｂ）は正面図
【図４】実施例３の説明図であって、（Ａ）は断面図、（Ｂ）は正面図
【図５】実施例４の説明図であって、（Ａ）は断面図、（Ｂ）は正面図
【図６】実施例５の説明図であって、（Ａ）は断面図、（Ｂ）は正面図
【図７】実施例６の説明図であって、（Ａ）は断面図、（Ｂ）は正面図
【図８】実施例７の説明図であって、（Ａ）は断面図、（Ｂ）は正面図
【図９】実施例８の説明図であって、（Ａ）は断面図、（Ｂ）は正面図
【図１０】実施例９の説明図であって、（Ａ）は断面図、（Ｂ）は正面図
【図１１】実施例１０の説明図であって、（Ａ）は断面図、（Ｂ）は正面図
【図１２】実施例１１の説明図であって、（Ａ）は断面図、（Ｂ）は正面図
【図１３】実施例１２の説明図であって、（Ａ）は断面図、（Ｂ）は正面図
【図１４】実施例１３の説明図であって、（Ａ）は断面図、（Ｂ）は正面図
【図１５】圧損の比較説明図
【図１６】従来のベンドトップの説明図
【図１７】従来のベンドトップの説明図
【符号の説明】
【００３１】
１  トップ本体
４  排気口
５  防雨カバー
８  整流板
【図１】
2006125737.tif 000003
【図２】
2006125737.tif 000004
【図３】
2006125737.tif 000005
【図４】
2006125737.tif 000006
【図５】
2006125737.tif 000007
【図６】
2006125737.tif 000008
【図７】
2006125737.tif 000009
【図８】
2006125737.tif 000010
【図９】
2006125737.tif 000011
【図１０】
2006125737.tif 000012
【図１１】
2006125737.tif 000013
【図１２】
2006125737.tif 000014
【図１３】
2006125737.tif 000015
【図１４】
2006125737.tif 000016
【図１５】
2006125737.tif 000017
【図１６】
2006125737.tif 000018
【図１７】
2006125737.tif 000019